(57)【特許請求の範囲】
【請求項１】
コンピュータに内蔵され、当該コンピュータに接続される機器としてカスタマディスプレイ及びプリンタを含み、それらの機器の内の一方を外部機器として切換える通信装置であって、
前記コンピュータと前記機器間でデータの授受を行なう通信手段と、
該通信手段をひとつ以上の機器に接続する為の分配手段と、
前記通信手段を前記機器のひとつに接続する為の２個の内部接続手段と、
前記通信手段を前記機器のひとつに接続する為の１個の外部接続手段と、
前記通信手段の信号を前記内部接続手段で使用するか、または前記外部接続手段で使用するかを選択する信号切替手段とを有し、
前記信号切替手段は、前記内部接続手段と前記外部接続手段との切替を、前記通信手段の信号につき個別に行うことを特徴とする通信装置。
【請求項２】
請求項１記載の通信装置において、前記信号切替手段はジャンパ接続回路を有してなることを特徴とする通信装置。
【請求項３】
請求項１記載の通信装置において、前記信号切替手段は１回路２接点のスイッチを有してなることを特徴とする通信装置。
【請求項４】
請求項１記載の通信装置において、前記信号切替手段は半導体スイッチを有してなることを特徴とする通信装置。
【請求項５】
請求項１記載の通信装置において、前記通信手段は特定の機器からのデータを判定する判定手段を設けてなることを特徴とする通信装置。
【発明の詳細な説明】
【０００１】
【発明の属する技術分野】
本発明は通信装置に関し、特にデータを複数の機器間で切り替えて利用する技術に関する。
【０００２】
【従来の技術】
従来の通信装置は図１に示すように信号切替手段２に装置ａの通信手段１を対応する接続手段ａ５に接続し、２つの接続手段ｂ６、接続手段ｃ７により装置ｂの通信手段３、装置ｃの通信手段４に接続出来るようにしていた。またこの信号切替手段２は全ての信号線を切替スイッチ８により同時に切り替えるもので、装置ａ−装置ｂまたは、装置ａ−装置ｃと常に１対１の通信を行なうものであった。
【０００３】
また図２は従来のもう一つの通信装置を示す図で、一つの通信手段１で２つの装置ａ，ｂに信号が分配されている。通信手段１から接続される信号は信号分配手段１５により信号を選択または共有し２つの装置ａ，ｂに同時に接続できる。図では装置側に対して送信信号を共有し、受信信号・フロー制御を行なう為の信号を信号分配手段１５により切り替えを行なっている。分配された信号は内部接続手段ａ，ｂを通して装置ａ，ｂに接続される。このとき通信手段１から送信されたデータの選択は装置ａ，ｂのどちらも受信可能／装置ａのみ／装置ｂのみという切替えを送信するデータに付加することで行われる。
【０００４】
【発明が解決しようとする課題】
図１の従来例では、装置を２台接続可能であるが、同時には使用できない。更に図２の従来例では、１つの通信手段に２つの機器を接続する場合で、２つの機器を内部接続手段により接続する構成でかつ１つの機器を外部接続手段に接続できる構成を取った装置では、２つの機器の一方を外部接続手段に他方を内部接続手段に接続する場合、従来の構成にて信号の切り替え手段では信号を全て切り替えてしまう為、内部接続機器使用または外部接続機器使用のどちらか１つの排他的な選択しか出来ない為、同時に使用できないという課題を有する。
【０００５】
【課題を解決するための手段】
本発明は上記の課題を解決するためになされたものであり、コンピュータに内蔵され、当該コンピュータに接続される機器としてカスタマディスプレイ及びプリンタを含み、それらの機器の内の一方を外部機器として切換える通信装置であって、前記コンピュータと前記機器間でデータの授受を行なう通信手段と、該通信手段をひとつ以上の機器に接続する為の分配手段と、前記通信手段を前記機器のひとつに接続する為の２個の内部接続手段と、前記通信手段を前記機器のひとつに接続する為の１個の外部接続手段と、前記通信手段の信号を前記内部接続手段で使用するか、または前記外部接続手段で使用するかを選択する信号切替手段とを有し、前記信号切替手段は、前記内部接続手段と前記外部接続手段との切替を、前記通信手段の信号につき個別に行うことを特徴とする。
【０００６】
【発明の実施の形態】
図３は本発明の１実施例を示す図で、コンピュータに内蔵される通信手段１としてＲＳ２３２Ｃを使用している。通信手段１からは送信信号ＴＸＤ、受信信号ＲＸＤ、ハードウェアフロー制御用の信号ＤＴＲ、ＤＳＲ、ＲＴＳ、ＣＴＳを使用している。信号分配手段１８はフロー制御用の信号ＲＴＳ／ＣＴＳとＤＴＲ／ＤＳＲを装置により使用する制御線を指定する場合に使用される。ここでは、プリンタに接続する内部接続手段ａ９にＤＴＲ／ＤＳＲを接続し、カスタマディスプレイに接続する内部接続手段ｂ１０にＲＴＳ／ＣＴＳを接続している。本実施例ではＴＸＤを２つの内部接続手段ａ，ｂで共有し、ＲＸＤは１つの機器に接続している。
【０００７】
また、通信手段１の各信号は外部接続手段１７に接続し、各信号は通信手段１に対して入力となる信号ＲＸＤ，ＣＴＳ，ＤＳＲを内部接続手段ａ９，ｂ１０・外部接続手段１７に接続するか個別に選択可能としている。ここで外部接続手段１７、内部接続手段ｂ１０には信号レベルを変換するためのレベルシフタ１６を挿入している。本実施例では信号切替手段１９としてジャンパを使用し、装置の内部では内部接続手段ａ９にプリンタを接続し、内部接続手段ｂ１０にカスタマディスプレイを接続している。この場合信号切替手段１９の設定はＲＸＤ，ＣＴＳ，ＤＳＲとも内部選択を設定するためにＪ１，２，３ともに２−３間をジャンパにて接続する。
【０００８】
次に内部接続手段ａ９からプリンタを取り外し、外部接続手段１７に違うプリンタを接続する場合、ＲＸＤは外部選択、ＤＳＲは外部選択、ＣＴＳは内部選択とすることにより、外部接続手段１７からプリンタ、内部接続手段ｂ１０からカスタマディスプレイを同時に使用することができる。具体的には信号切替手段１９のＪ１は１−２間、Ｊ２は１−２間、Ｊ３は２−３間をジャンパにより接続する。次に内部接続手段ａ９にプリンタを接続し外部接続手段１７にカスタマディスプレイを接続する場合は信号切替手段１９のＲＸＤを内部選択（Ｊ１を２−３間）、ＤＳＲを内部選択（Ｊ２を２−３間）、ＣＴＳは外部選択（Ｊ３を１−２間）とすることで使用可能となる。このとき接続された機器においては、通信手段１から送信される信号が自身に送信されたかを判断するプロトコルを持っていることが必要である。
【０００９】
また、外部機器が全てのＲＳ２３２の信号を必要とする場合には、信号切替手段１９のＲＸＤ、ＤＳＲ、ＣＴＳの信号全てを外部選択（Ｊ１，２，３を全て１−２間接続）とすることで使用可能である。この場合、内部機器は接続不可となる。
【００１０】
図４は本発明の他の実施例を示す図で、信号切替手段２０に１回路２接点のスイッチを使用したものである。図３と同様に個別にＳＷ１，２，３を切替えることにより各装置の接続形態の選択が可能となる。本実施例では、ＳＷ１，２，３を２側にすると外部接続手段１７が選択される。また１側にすると内部接続手段の信号が選択される。
【００１１】
図５は本発明の他の実施例を示す図で、信号切替手段２１に半導体スイッチとしてアナログスイッチを使用したもので、アナログスイッチは信号ＳＩＧ１，ＳＩＧ２，ＳＩＧ３により本体の出力ポートにより個別に制御される。アナログスイッチは入力端子Ａ，Ｂを持ち端子Ｏに出力する。その選択はＳＩＧをローレベルまたはハイレベルにすることで行われる。本実施例では、ＳＩＧ１，２，３の信号がローレベルのときは、アナログスイッチのＢ選択となり外部接続手段１７が選択される。また信号がハイレベルのときはアナログスイッチのＡ選択となり内部接続手段の信号が選択される。
【００１２】
図６は本発明のもう一つの実施例を示す図で、図５に加え内部接続手段ａ９，ｂ１０，外部接続手段１７の出力となる各信号を論理ロジック２２で論理和を取り通信手段１のＲＸＤに接続している。図６では、ＲＸＤの内部接続・外部接続選択は行わない。各接続手段に接続される装置から送信されるデータには装置固有のデータが付加される。通信手段１の判別手段２３では、付加された装置固有のデータから、どの装置から送信されたデータか判別する。また、通信手段１から送信されるデータは装置を指定するデータが付加される為、各装置では自身に送信されたデータかを判定することができる。装置は自身に送信されたデータかどうかを判断し、データを処理する事になる。次にデータを処理したことを通信手段１に返信する場合、装置固有のデータを付加してデータを送出する。
【００１３】
【発明の効果】
以上の様に通信手段の信号を個別に選択可能とすることにより、内部接続しているプリンタの代わりに、他のプリンタを外部接続手段に接続したとしても一方で内部接続されるカスタマディスプレイも使用可能となる。プリンタを内部接続した場合でも外部機器として他のカスタマディスプレイを接続しても使用可能となる。このようにして１つの通信手段により内部接続した２つの機器を使用可能でかつ一方を内部接続・他方を外部接続という使用形態でも２つの機器を使用することが可能になり、種々の接続形態を取ったとしても、１つの通信手段により２つの機器を接続することができる為、通信手段を節約することが可能である。また装置特有のデータを持たせることにより、同時に複数台の装置を接続して使用することが可能になる。
【図面の簡単な説明】
【図１】従来の１例を示す図。
【図２】従来の他の例を示す図。
【図３】本発明の１実施例を示す図。
【図４】本発明の他の実施例を示す図。
【図５】本発明の他の実施例を示す図。
【図６】本発明の他の実施例を示す図。
【符号の説明】
１・・・・通信手段
２・・・・信号切替手段
３・・・・通信手段
４・・・・通信手段
５・・・・接続手段ａ
６・・・・接続手段ｂ
７・・・・接続手段ｃ
８・・・・切替スイッチ
９・・・・内部接続手段ａ
１０・・・内部接続手段ｂ
１１・・・切替スイッチａ
１２・・・切替スイッチｂ
１３・・・切替スイッチｃ
１４・・・切替スイッチｄ
１５・・・信号分配手段
１６・・・レベルシフタ
１７・・・外部接続手段
１８・・・信号分配手段
１９・・・信号切替手段
２０・・・信号切替手段
２１・・・信号切替手段
２２・・・論理和ゲート
２３・・・判別手段
【図１】
0003963039.tif 000002
【図２】
0003963039.tif 000003
【図３】
0003963039.tif 000004
【図４】
0003963039.tif 000005
【図５】
0003963039.tif 000006
【図６】
0003963039.tif 000007